(57)【要約】【課題】従来ダニの駆除は、室内にガスを充満する方法、電気掃除機で強制的に除去する方法、薬品で誘殺する方法があるが、一時的で、薬品による方法は、使用期限があると共に高価の割には、効果ははっきりしない。【解決手段】無数の通気孔を開けたダニ取り器を形成し、該ダニ取り付け器の蓋にダニ入口を取り付けて構成した。  これにより、本発明にダニが好む餌を入れて蓋を被せ、居住環境の適所に配置するだけで、ダニを年中確実に捕集することができる。  また、捕集したダニは、蓋を外して中身を捨て、餌を入れ替えれば、何回も使用できるが、使い捨てにし、その都度新品を使用するようにしてもよい。【選択図】図１
2016123363.tif 000002
【特許請求の範囲】
【請求項１】
本発明の主体をなすダニ取り器を、透明のプラスチックか柔軟性のビニールで断面が多角形か円形で、片側を塞いで形成し、該上面と両側面上部にダニが通らない程度の通気孔を無数開け、また、ダニ取り器の開口部には蓋を被せ、蓋には凹み状のダニ入口を取り付け、該先端は小孔を開け、小孔の裏側外周にはビニール等の袋を貼り付け、該袋にはダニが通るだけの細孔を数ヶ所開け、蓋とダニ入口には、ダニが這い上りやすい和紙または布地を貼り付け、ダニ取り器の上面には、上面を示す〔上面〕の字を記したダニ取り器。
【請求項２】
蓋を平面に形成し、該蓋に小孔を開け、該小孔の裏側にビニール等の袋を貼り付け、該袋にはダニが通るだけの細孔を数ヶ所開け、蓋にはダニが這い上りやすい和紙または布地を貼り付けた請求項１記載のダニ取り器。
【発明の詳細な説明】
【技術分野】
【０００１】  本発明は、家屋、ホテル等の宿泊所、集会所等の居住環境のダニを年中駆除できるようにしたダニ取り器に関するものである。
【背景技術】
【０００２】  従来、ダニの駆除は、室内にガスを充満する方法、電気掃除機で強制的に除去する方法、薬品で誘殺する方法があるが、一時的で、薬品による方法は、使用期限があると共に高価の割には、効果ははっきりしない。
【発明の概要】
【０００３】  本発明は、居住環境の適所に配置するだけで、ダニを年中、確実に駆除できるようにしたものである。
【課題を解決するための手段】
【０００４】  そして、本発明は、上記目的を達成するため、第１の課題解決手段の図１から図３は、本発明の主体をなすダニ取り器を透明のプラスチックか柔軟性のビニールで断面が多角形か円形で、片側を塞いで形成し、該上面と両側面上部にダニが通らない程度の通気孔を無数開け、またダニ取り器の開口部には蓋を被せ、蓋には凹み状のダニ入口を取り付け、該先端は小孔を開け、小孔の裏側外周にはビニール等の袋を貼り付け、該袋にはダニが通るだけの細孔を数ヶ所開け、蓋とダニ入口には、ダニが這い上りやすい和紙または布地を貼り付け、ダニ取り器の上面には、上面を示す〔上面〕の字を記したものである。【０００５】  第２の課題解決手段の図４から図６は、蓋を平面に形成し、該蓋には小孔を開け、該小孔の裏側にビニール等の袋を貼り付け、該袋にはダニが通るだけの細孔を数ヶ所開け、蓋にはダニが這い上りやすい和紙または布地を貼り付けたものである。【０００６】  以上において、小孔にビニール等の袋を取り付けたが、場合により取り付けなくてもよい。
【発明の効果】
【０００７】  第１の課題解決手段の図１から図３は、ダニ取り器にダニが好む餌を入れて蓋を被せ、適所に配置すれば、無数の通気孔から出る匂いに誘われたダニは、ダニ入口の小孔から入って餌に群がる。このとき、無数の通気孔は匂いを発散すると共に空気が流入するので、ダニにとっては居住性がよく、絶好のすみかとなり、外へ出ようとしない。例え、出ようとしても、ダニ入口の裏側は平滑ですべって這えず、袋も細孔であるので、ダニは外へ出られない。
また、捕集したダニは、蓋を外して中身を捨て、餌を入れ換えれば、何回も使用できるが、使い捨てにし、その都度新品を使うようにしてもよい。
なお、本発明は使用期限がある薬品等を使用しないので半永久的に使用することができる。また、ダニ取り器の上面に〔上面〕の字を記入したので、該上面を上にして迷わず置くことができる。【０００８】  第２の課題解決手段の図４から図６は、ダニ入口を平面に形成したので、製作しやすい効果がある。
【図面の簡単な説明】
【０００９】
【図１】第１の課題解決手段の一部縦断正面図
【図２】図１の右側面図
【図３】図１の一部横断平面図
【図４】第２の課題解決手段の一部縦断正面図
【図５】図４の右側面図
【図６】図４の一部横断平面図
【発明を実施するための形態】
【００１０】  第１の課題解決手段の図１から図３の１はダニ取り器で、透明のプラスチックか柔軟性のビニールで断面が多角形か円形で、片側を塞いで形成している。２は通気孔で、ダニが通らない程度の孔を、ダニ取り器の上面と両側面上部に無数開けている。４は蓋３付きのダニ入口で、蓋３に凹み状のダニ入口４を取り付け、該先端に小孔５を開け、該ダニ入口４の先端裏側外周にビニール等の袋６を貼り付け、該袋６にはダニが通るだけの細孔７を数ヶ所開けている。８はダニが這い上りやすい和紙または布地で、蓋３とダニ入口４に貼り付けている。
また、ダニ取り器１の上面には〔上面〕の字を記し、この上面を上にして配置するようにしている。
【００１１】  第２の課題解決手段の図４から図６の３は平面に形成した蓋で、小孔５を開けている。６は小孔５の裏側に貼ったビニール等の袋で、該袋６にはダニが通るだけの細孔７を数ヶ所開けている。８はダニが這い上りやすい紙または布地で、蓋３に貼り付けている。
【符号の説明】
【００１２】１  ダニ取り器        ４  ダニ入口        ７  細孔
２  通気孔            ５  小孔            ８  和紙または布地
３  蓋                ６  袋
【図１】
2016123363.tif 000003
【図２】
2016123363.tif 000004
【図３】
2016123363.tif 000005
【図４】
2016123363.tif 000006
【図５】
2016123363.tif 000007
【図６】
2016123363.tif 000008
【手続補正書】
【提出日】平成27年7月8日(2015.7.8)
【手続補正１】
【補正対象書類名】明細書
【補正対象項目名】０００４
【補正方法】変更
【補正の内容】
【０００４】  そして、本発明は、上記目的を達成するため、第１の課題解決手段の図１から図３は、ダニ取り器を透明のプラスチックで、断面が多角形か円形で片側を塞いで形成し、ダニ取り器の上面と両側面の上部にダニが通らな程度の通気孔を無数開け、また、ダニ取り器の開口部には蓋を被せ、蓋には凹み状のダニ入口を取り付け、該先端は小孔を開け、小孔の裏側外周にはビニール袋か紙袋を貼り付け、該袋にはダニが通るだけの細孔を数ケ所開け、凹みには、ダニが這い上りやすい和紙または布地を貼り付け、ダニ取り器の上面には、上面を示す〔上面〕の字を記入したものである。
なお、ダニ取り器は、柔軟性のビニールで形成してもよい。
【手続補正２】
【補正対象書類名】明細書
【補正対象項目名】０００５
【補正方法】変更
【補正の内容】
【０００５】  第２の課題解決手段の図４から図６は、蓋を平面に形成し、該蓋に小孔を開け、該小孔の裏側にビニール袋か紙袋を貼り付け、該袋にはダニが通るだけの細孔を数ケ所開け、蓋の表面には、ダニが這い上りやすい和紙または布地を貼り付けたものである。
【手続補正３】
【補正対象書類名】明細書
【補正対象項目名】０００６
【補正方法】変更
【補正の内容】
【０００６】  以上において、小孔の裏側にビニール袋か紙袋を貼り付けたが、場合により貼り付けなくてもよい。
【手続補正４】
【補正対象書類名】明細書
【補正対象項目名】００１０
【補正方法】変更
【補正の内容】
【００１０】  第１の課題解決手段の図１から図３の１はダニ取り器で、透明のプラスチックで断面が多角形か円形で、片側を塞いで形成している。２は通気孔で、ダニが通らない程度の孔を、ダニ取り器１の上面と両側面の上部に無数開けている。３はダニ取り器の開口部に被せた蓋で、該蓋３には凹み状のダニ入口４を取り付け、該先端に小孔５を開け、該ダニ入口４の先端裏側外周にビニール袋６か紙袋を貼り、該袋６にはダニが通るだけの細孔７を数ケ所開けている。
８はダニが這いやすい和紙または布地で、蓋３とダニ入口４に貼り付けている。
また、ダニ取り器１の上面には〔上面〕の字を記入し、この上面を上にして配置するようにしている。
【手続補正５】
【補正対象書類名】明細書
【補正対象項目名】００１１
【補正方法】変更
【補正の内容】
【００１１】  第２の課題解決手段の図４から図６の３は平面に形成した蓋で、小孔５を開けている。６は小孔５の裏側に貼ったビニール袋か紙袋で、該袋６にはダニが通るだけの細孔７を数ケ所開けている。８はダニが這い上りやすい和紙または布地で、蓋３に貼り付けている。
【手続補正６】
【補正対象書類名】特許請求の範囲
【補正対象項目名】全文
【補正方法】変更
【補正の内容】
【特許請求の範囲】
【請求項１】
ダニ取り器を透明のプラスチックで、断面が多角形か円形で片側を塞いいで形成し、ダニ取り器の上面と両側面の上部にダニが通らない程度の通気孔を無数開け、また、ダニ取り器の開口部には蓋を被せ、蓋には凹み状のダニ入口を取り付け、該先端は小孔を開け、小孔の裏側外周にはビニール袋か紙袋を貼り付け、該袋にはダニが通るだけの細孔を数ケ所開け、凹みには、ダニが這い上りやすい和紙または布地を貼り付け、ダニ取り器の上面には、上面を示す〔上面〕の字を記入したダニ取り器。
【請求項２】
蓋を平面に形成し、該蓋に小孔を開け、該小孔の裏側にビニール袋か紙袋を貼り付け、該袋にはダニが通るだけの細孔を数ケ所開け、蓋の表面には、ダニが這い上りやすい和紙または布地を貼り付けた請求項１記載のダニ取り器。
【手続補正書】
【提出日】平成27年9月29日(2015.9.29)
【手続補正１】
【補正対象書類名】明細書
【補正対象項目名】全文
【補正方法】変更
【補正の内容】
【発明の詳細な説明】
【技術分野】
【０００１】  本発明は、家屋、ホテル等の宿泊所、集会所等の居住環境のダニを年中駆除できるようにしたダニ取り器に関するものである。
【背景技術】
【０００２】  従来、ダニの駆除は、室内にガスを充満する方法、電気掃除機で強制的に除去する方法、薬品で誘殺する方法があるが、一時的で、薬品による方法は、使用期限があると共に高価の割には、効果ははっきりしない。
【発明の概要】
【０００３】  本発明は、居住環境の適所に配置するだけで、ダニを年中、確実に駆除できるようにしたものである。
【課題を解決するための手段】
【０００４】  そして、本発明は、上記目的を達成するため、第１の課題解決手段の図１から図３は、本発明の主体をなすダニ取り器を、透明のプラスチックか柔軟性のビニールで、断面が多角形の筒状で片側の開口部を塞いで形成すると共に該多角形の一面を底に決め、該底に対する上面と、これに接する両側面の上部に、ダニが通らない程度の通気孔を無数開け、また、ダニ取り器の開口部には蓋を被せ、蓋には凹み状のダニ入口を取り付け、該ダニ入口の先端に小穴を開け、ダニ入口の裏側には小孔を囲むビニール等の袋を貼り付け、該袋にはダニが通るだけの細孔を数ヶ所開け、蓋とダニ入口の外面には、ダニが這い上りやすい和紙または布地を貼り付け、ダニ取り器の上面には、上面を示す〔上面〕の字を記したものである。【０００５】  第２の課題解決手段の図４から図６は、蓋を平面に形成し、該蓋には小孔を開け、蓋の裏側には小孔を囲むビニール等の袋を貼り付け、袋にはダニが通るだけの細孔を数ヶ所開け、蓋の外面にはダニが這い上りやすい和紙または布地を貼り付けたものである。【０００６】  以上において、小孔にビニール等の袋を貼り付けたが、場合により貼り付けなくよい。
【発明の効果】
【０００７】  第１の課題解決手段の図１から図３は、ダニ取り器にダニが好む餌を入れて蓋を被せ、適所に配置すれば、無数の通気孔から出る匂いに誘われたダニは、ダニ入口の小孔から入って餌に群がる。このとき、無数の通気孔は匂いを発散すると共に空気が流入するので、ダニにとっては居住性がよく、絶好のすみかとなり、外え出ようとしない。例え、出ようとしても、ダニ入口の裏側は平滑ですべって這えず、袋も細孔であるので、ダニは外へ出られない。
また、捕集したダニは、蓋を外して中身を捨て、餌を入れ換えれば、何回も使用できるが、使い捨てにし、その都度新品を使うようにしてもよい。
なお、本発明は使用期限がある薬品等を使用しないので半永久的に使用することができる。また、ダニ取り器の上面に〔上面〕の字を記入したので、該上面を上にして迷わず置くことができる。【０００８】  第２の課題解決手段の図４から図６は、ダニ入口を平面に形成したので、製作しやすい効果がある。
【図面の簡単な説明】
【０００９】
【図１】  第１の課題解決手段の一部縦断正面図
【図２】  図１の右側面図
【図３】  図１の一部横断平面図
【図４】  第２の課題解決手段の一部縦断正面図
【図５】  図４の右側面図
【図６】  図４の一部横断平面図
【発明を実施するための形態】
【００１０】  第１の課題解決手段の図１から図３の１はダニ取り器で、透明のプラスチックか柔軟性のビニールで、断面が多角形の筒状で片側の開口部を塞いで形成している。２は、通気孔で、多角形の一面を底に決めたとき、該底に対する上面と、これに接する両側面の上部に、ダニが通らない程度の通気孔２を無数開けている。３はダニ取り器の開口部に被せた蓋、４はダニ入口４で蓋３に凹み状に取り付けている。５はダニ入口４に開けた小孔で、ダニ入口４の裏側には小孔５を囲むビニール等の袋６を貼り付けている
７はダニが通るだけの細孔で、袋６に数ヶ所開けている。また、蓋３とダニ入口４の外面には、ダニが這い上りやすい和紙または布地８を貼り付けている。
また、ダニ取り器１の上面には〔上面〕の字を記入したので、ダニ取り器１を配置するとき、迷わずに〔上面〕を上にして置くことができるようにしている。
【００１１】  第２の課題解決手段の図４から図６の３は平面に形成した蓋で、小孔５を開けている。６は小孔５を囲むビニール袋で蓋３の裏側に貼り付けている。７はダニが通るだけの細孔で、袋６に数ヶ所開けている。８はダニが這い上がりやすい和紙または布地で、蓋３の外面に貼り付けている。
【符号の説明】
【００１２】  １  ダニ取り器
２  通気孔
３  蓋
４  ダニ入口
５  小孔
６  袋
７  細孔
８  和紙または布地
【手続補正２】
【補正対象書類名】特許請求の範囲
【補正対象項目名】全文
【補正方法】変更
【補正の内容】
【特許請求の範囲】
【請求項１】
本発明の主体をなすダニ取り器を、透明のプラスチックか柔軟性のビニールで、断面が多角形の筒状で、片側の開口部を塞いで形成すると供に該多角形の一面を底に決め、該底に対する上面と、これに接する両側面の上部に、ダニが通らない程度の通気孔を無数開け、また、ダニ取り器の開口部には蓋を被せ、蓋には凹み状のダニ入口を取り付け、該ダニ入口の先端に小孔を開け、ダニ入口の裏側には小孔を囲むビニール等の袋を貼り付け、該袋にはダニが通るだけの細孔を数ヶ所開け、蓋とダニ入口の外面には、ダニが這い上がりやすい和紙または布地を貼り付け、ダニ取り器の上面には、上面を示す〔上面〕の字を記したダニ取り器。
【請求項２】
蓋を平面に形成し、該蓋に小孔を開け、蓋の裏側には小孔を囲むビニール等の袋を貼り付け、袋にはダニが通るだけの細孔を数ヶ所開け、蓋の外面にはダニが這い上がりやすい和紙または布地を貼り付けた請求項１記載のダニ取り器。
【手続補正書】
【提出日】平成27年12月7日(2015.12.7)
【手続補正１】
【補正対象書類名】明細書
【補正対象項目名】特許請求の範囲
【補正方法】変更
【補正の内容】
【書類名】特許請求の範囲
【請求項１】
ダニ取り器を透明のプラスチックで、断面が多角形の筒状で片側の開口部を塞いで形成すると共に該多角形の一面を底に決め、該底に対する上面とこれに接する両側面に、ダニが
2016123363.tif 000009
蓋を被せ、蓋には凹み状のダニ入口を取り付け、該ダニ入口の先端に小孔を開け、ダニ入口の裏側には小孔を囲むビニール等の袋を貼り付け、該袋にはダニが通るだけの細孔を数ヶ所開け、蓋とダニ入口の外面には、ダニが這い上りやすい和紙または布地を貼り付け、ダニ取り付け器の上面には、上面を示す〔上面〕の文字を記したダニ取り器。
【請求項２】
蓋を平面に形成し、該蓋に小孔を開け、蓋の裏側には小孔を囲むビニール等の袋を貼り付け、袋にはダニが通るだけの細孔を数ヶ所開け、蓋の外面には、ダニが這い上りやすい和紙又は布地を貼り付けた請求項１記載のダニ取り器。
【請求項３】
ダニ取り器を透明のプラスチックに代えて、柔軟性のビニールで形成した請求項１記載のダニ取り器。